(57)【要約】【課題】複雑な制御を必要とすることなく、使用者がどのような保持方向で機器を保持した場合でも重心バランスを調整することを可能とする。【解決手段】制御部を含む電子回路基板（図示せず）の周囲を囲むように収容器２００が設けられていて、この収容器２００内にシリコンオイル２１０が収容されている。このシリコンオイル２１０は、タブレット型コンピュータ１０の保持方向が変化して重力方向が変化すると、その重力方向の変化に伴い収容器２００内を流動的に移動可能となっている。使用者が手に持って使用している場合に保持方向を変更したとしても、変更された保持方向に応じて収容器部２００内においてシリコンオイル２１０が流動的に移動することによって重心位置が下方となるように自動的に調整される。【選択図】図４
2014045251.tif 000002
【特許請求の範囲】
【請求項１】
画像を表示する表示部と、
前記表示部の表面に配置されたタッチセンサ部を有する入力部と、
前記入力部により入力された情報に基づいて、前記表示部に表示する画像内容を制御する制御部と、を備えた携帯情報端末装置において、
前記携帯情報端末装置は、
重力方向の変化に伴い流動的に移動可能な流動体と、
前記流動体を収容する収容器と、を備えたことを特徴とする携帯情報端末装置。
【請求項２】
前記収容器は、前記制御部を含む電子回路基板の周囲を囲むように設けられていることを特徴とする請求項１に記載の携帯情報端末装置。
【請求項３】
前記収容器は、前記制御部を含む電子回路基板が構成されている本体層とは異なる層に設けられていることを特徴とする請求項１に記載の携帯情報端末装置。
【請求項４】
前記収容器が設けられている層が、前記制御部を含む電子回路基板が構成されている本体層とは着脱可能な構成となっていることを特徴とする請求項３に記載の携帯情報端末装置。
【請求項５】
前記流動体は、液体、粒状体または粉状体のいずれかであることを特徴とする請求項１から４のいずれか１項に記載の携帯情報端末装置。
【発明の詳細な説明】
【技術分野】
【０００１】
本発明は、タッチパネル等の表示部を備えた携帯情報端末装置に関する。
【背景技術】
【０００２】
タブレット型コンピュータ、スマートフォン等の携帯情報端末装置では、液晶パネル等で構成される表示部の表面上にタッチセンサ等の入力手段が設けられている。このような携帯情報端末装置においては、液晶パネルを利用して入力用のソフトウェアキーを表示し、ユーザはそれを視認しながら液晶パネル上のタッチセンサを手指やスタイラスペン（入力ペン）等で操作をすることによって所望の情報の入力を行う。
【０００３】
このような携帯情報端末装置は、例えば特許文献１に示されるように、ユーザが手に持って操作を行うことが可能となっている。そのため、ユーザが保持している方向に応じて液晶パネル等の表示部にソフトウェアキーを表示したり、表示する画像の方向を切り替えるようにことも可能となっている。
【０００４】
しかし、このような携帯情報端末装置を手に持って操作する場合、重心位置が機器の上側にあると安定せず持ち難く場合によっては誤って落下させてしまう危険性もある。このような問題を解決するための従来技術として、例えば、特許文献２に示されるような可搬型電子機器も提案されている。
【０００５】
この特許文献２に開示された可搬型電子機器では、重力加速度センサにより検知された重力加速度の方向に基づいて機器が保持されている向きを判定し、その判定結果に基づいて重心位置を調整することが行われている。この特許文献２に開示された可搬型電子機器によれば、機器が保持されている向きに応じておもりをガイド軸に沿って移動させて重心位置を調整するような処理が行われるため、機器を横長状態で保持している場合でも縦長状態で保持している場合でも違和感なく操作を行うことを可能としている。
【先行技術文献】
【特許文献】
【０００６】
【特許文献１】特開２０１２−１５５４８０号公報
【特許文献２】特開２０１２−１０９８３４号公報
【発明の概要】
【発明が解決しようとする課題】
【０００７】
しかし、上記の特許文献２記載の可搬型電子機器では、重力加速度センサにより機器の向きを検知し、モータを駆動させることによりおもりをガイド軸に沿って移動させるという複雑な処理が必要である。また、機器の電源がオン状態でなければこのような重心移動が行われないため、機器をオフの状態で保持する方向を持ち替えたような場合には重心移動が行われず持ち難いままとなってしまうという問題もある。
【０００８】
さらに、特許文献２記載の可搬型電子機器では、重心移動手段を機構的に実現しているため、機器を横長状態で保持する場合や縦長状態で保持する場合のように保持方向が９０度異なる２方向の場合には重心調整が可能であるが、保持方向が１８０度、２７０度変更された場合のように保持方向が４方向となったような場合には対応することが難しいという問題点もある。
【０００９】
そして、このような特許文献２記載の可搬型電子機器によって、４方向の保持方向に対
応させて重心バランスの調整を行うと複雑な制御を必要とすることになり、重心調整手段にも複雑な構成を必要とすることになる。
【００１０】
そこで、本発明は、上記問題点を解決することを課題とし、複雑な制御を必要とすることなく、使用者がどのような保持方向で機器を保持した場合でも重心バランスを調整することが可能な携帯情報端末装置を提供することを目的とする。
【課題を解決するための手段】
【００１１】
上記目的を達成するために、本発明では、画像を表示する表示部と、
前記表示部の表面に配置されたタッチセンサ部を有する入力部と、
前記入力部により入力された情報に基づいて、前記表示部に表示する画像内容を制御する制御部と、を備えた携帯情報端末装置において、
前記携帯情報端末装置は、
重力方向の変化に伴い流動的に移動可能な流動体と、
前記流動体を収容する収容器と、を備える。
【００１２】
本発明によれば、使用者が本発明の携帯情報端末装置を手に持って保持している場合に保持方向が変更されとしても、変更された保持方向に応じて収容器部内において流動体が流動的に移動することによって重心位置が下方となるように自動的に調整される。そのため、本発明によれば、複雑な制御を必要とすることなく、使用者がどのような保持方向で携帯情報端末装置を保持した場合でも重心バランスを調整することが可能になる。
【００１３】
また、本発明では、前記収容器を、前記制御部を含む電子回路基板の周囲を囲むように設けるようにしても良い。
【００１４】
また、本発明では、前記収容器を、前記制御部を含む電子回路基板が構成されている本体層とは異なる層に設けるようにしても良い。
【００１５】
さらに、本発明では、前記収容器が設けられている層が、前記制御部を含む電子回路基板が構成されている本体層とは着脱可能な構成とするようにしてもよい。
【００１６】
本発明によれば、保持方向を変更せずに使用される場合のように、重心バランスを調整する必要が無いような場合には、収容器が設けられている層を本体層から外して使用することにより全体重量を軽減させることが可能となる。
【００１７】
また、本発明における流動体を、液体、粒状体または粉状体のいずれかとしてもよい。
【発明の効果】
【００１８】
本発明によれば、複雑な制御を必要とすることなく、使用者がどのような保持方向で機器を保持した場合でも重心バランスを調整することが可能になるという効果を得ることができる。
【図面の簡単な説明】
【００１９】
【図１】本発明の一実施形態のタブレット型コンピュータ１０の外観を説明するための図である。
【図２】本発明の一実施形態のタブレット型コンピュータ１０の内部ブロック図である。
【図３】本発明の一実施形態のタブレット型コンピュータ１０を９０度毎に回転された場合の表示制御の一例を示す図である。
【図４】本発明の一実施形態のタブレット型コンピュータ１０の内部構造を説明するための図である。
【図５】本発明の一実施形態のタブレット型コンピュータ１０の保持方向を図４に示した保持方向から９０度回転させた場合の内部構造を説明するための図である。
【図６】本発明の他の実施形態のタブレット型コンピュータ１０ａの内部構造を説明するための図である。
【発明を実施するための形態】
【００２０】
以下、本発明の実施形態を、図面を用いて詳細に説明する。但し、以下に示す実施形態は、本発明の技術的思想を具体化するための携帯情報端末装置としてタブレット型コンピュータを例示するものであって、本発明をこのタブレット型コンピュータに限定するものではなく、スマートフォン等の通信情報端末装置や携帯型の表示装置等の他の装置にも適応し得るものである。
【００２１】
まず、図１を参照して、本実施形態のタブレット型コンピュータ１０の外観について説明する。本実施形態のタブレット型コンピュータ１０には、液晶パネル等の表示部がタッチパネル２０となっており、ユーザの操作を受け付けることが可能な構成となっている。また、このタッチパネル２０上に、各種のソフトウェアキー３１〜３５を表示したり、タイラスペンによる文字入力を受け付けるエリアを表示することができるようになっている。
【００２２】
次に、本実施形態のタブレット型コンピュータの内部構成を図２を参照して説明する。図２は、本実施形態のタブレット型コンピュータの内部ブロック図である。
【００２３】
本実施形態のタブレット型コンピュータ１０は、図２に示されるように、制御部１００と、外部電源入力部１１０と、二次電池１２０と、無線通信部１３０と、カメラ１４０と、振動センサ１５０と、角度センサ１６０と、入力部１７０と、タッチパネル２０を構成する表示部１８０と、スピーカ１９０とを備えて構成される。
【００２４】
さらに、制御部１００は、ＣＰＵ１００、ＲＯＭ１０２、ＲＡＭ１０３を備えているマイクロプロセッサであり、ＲＯＭ１０２に記憶されたプログラムをＣＰＵ１００において実行することによって、タブレット型コンピュータ１０の各機能の動作を制御・統括する。
【００２５】
外部電源入力部１１０は、電源コード接続用コネクタ、電圧制御回路、充電制御回路（図示せず）等を備えて構成される。電源コード接続用コネクタは、タブレット型コンピュータ１０のハウジングの側面の一つに形成され、ここに電源コードプラグが接続される。電源コードプラグが電源コード接続用コネクタに接続されると、商用電源から変圧器等を介して所定電圧に降圧された直流電力がタブレット型コンピュータ１０に供給される。電圧制御回路は、供給された電力の電圧を一定値に調節し、タブレット型コンピュータ１０の各部に継続的に電力を供給する。
【００２６】
さらに、充電制御回路は、電源コード接続用コネクタに電源コードプラグが接続されているか否かを検知し、電源コードプラグが接続されており、後述する二次電池１２０が満充電状態でない場合には、所定電圧或いは所定電流の電力を二次電池１２０に対して供給することによって二次電池１２０を充電する。また、二次電池１２０が満充電状態になった場合には、充電制御回路は、二次電池１２０に対する充電を終了する。また、充電制御回路は、電源コード接続用コネクタに電源コードプラグが接続されていない場合に、二次電池１２０に充電されている電力を電圧制御回路に供給することによりタブレット型コンピュータ１０の各部に電力が供給されるようにする。
【００２７】
二次電池１２０は、タブレット型コンピュータ１０のハウジング内に電池パックの形態で収容される。二次電池１２０は、例えば、リチウムイオン二次電池である。
【００２８】
無線通信部１３０は、タブレット型コンピュータ１０が無線を使用してアクセスポイントとの間で通信を行うためのものである。タブレット型コンピュータ１０がアクセスポイントとの間で通信を行う際に、無線通信部１３０は通信セッションの確立、切断を含む制御を行う。また、送信するデータがある場合にはデータを符号化した後にパケット化し、所定周波数の無線を使用してアクセスポイントに対して送信を行う。また、アクセスポイントからデータを受信した場合には、パケットを組立てた後に復号化を行い、受信すべきデータを取得し、ＲＡＭ１０３に記憶する。
【００２９】
カメラ１４０は、タブレット型コンピュータ１０のハウジングの、タッチパネル２０が設けられている面と同じ側に設けられる内蔵式カメラであり、ユーザがタッチパネル２０を操作する際に、ユーザの状態を撮影できるようになっている。
【００３０】
振動センサ１５０は、加速度センサによって構成され、タブレット型コンピュータ１０に加わる加速度を計測する。特に、タブレット型コンピュータ１０に加わる重力加速度の変化を検出し、タブレット型コンピュータ１０がどのような向きにあるのかを判定し、それに合わせて制御部１００がタッチパネル２０に表示する画像の向きを縦向きにしたり横向きにしたりする。
【００３１】
角度センサ１６０は、角加速度センサによって構成され、タブレット型コンピュータ１０の単位時間当たりの回転角の変化を検出する。検出された回転角の変化は、カメラ１４０の手振れ検出等に使用される。
【００３２】
入力部１７０は、タッチセンサ１７１とメカニカルスイッチ１７２より構成される。タッチセンサ１７１は、表示部１８０の表面に設けられる。タッチセンサ１７１は、ユーザが表示部１８０に表示されたソフトウェアボタンを視認しながらタッチパネル２０の特定部位に手指やスタイラスによる接触を行った場合に、接触を検出した位置情報を出力する。メカニカルスイッチ１７２は、タブレット型コンピュータ１０のハウジングに設けられる押しボタンスイッチ等の機械的なスイッチであり、電源のオン／オフ、表示部１８０のオン／オフ等の操作を行うために用いられる。
【００３３】
表示部１８０は、タブレット型コンピュータ１０の一方の面の大半を占める位置に設けられており、液晶パネルユニット、或いは有機ＥＬパネルユニット等で構成されている。そして、表示部１８０は、制御部１００によって生成されるソフトウェアボタン等の各種画像等を表示する。つまり、制御部１００は、入力部１７０により入力された情報等に基づいて、表示部１８０に表示する画像内容を制御する。
【００３４】
スピーカ１９０は、タブレット型コンピュータ１０に内蔵されており、ＲＯＭ１０２に記憶された音声データ等が再生される際に、アンプ（図示せず）によって増幅された音声を出力する。
【００３５】
本実施形態のタブレット型コンピュータ１０では、制御部１００は、振動センサ１５０や角度センサ１６０からの情報に基づいて、保持されている方向を判定して、表示部１８０に表示する画像の向きを切り替えるような制御が行われる。
【００３６】
例えば、図３に示すように、タブレット型コンピュータ１０の保持方向を９０度毎に回転させたような場合でも、常に画像の上側と機器の上側とが一致するような表示内容とするようなことが可能である。
【００３７】
そして、本実施形態のタブレット型コンピュータ１０には、保持方向がこのように様々な方向となった場合でも、重心バランスを調整することが可能な構成が設けられている。
【００３８】
このような構成を図４を参照して説明する。図４は、本実施形態のタブレット型コンピュータ１０の内部構造を説明するための図である。
【００３９】
図４に示した内部構造では、制御部１００を含む電子回路基板（図示せず）の周囲を囲むように収容器２００が設けられていて、この収容器２００内にシリコンオイル２１０が収容されている。このシリコンオイル２１０は、タブレット型コンピュータ１０の保持方向が変化して重力方向が変化すると、その重力方向の変化に伴い収容器２００内を流動的に移動可能となっている。
【００４０】
そして、本実施形態のタブレット型コンピュータ１０によれば、使用者が手に持って使用している場合に保持方向を変更したとしても、変更された保持方向に応じて収容器部２００内においてシリコンオイル２１０が流動的に移動する。そして、収容器部２００内においてシリコンオイル２１０が流動的に移動することによって重心位置が下方となるように自動的に調整される。そのため、本実施形態によれば、複雑な制御を必要とすることなく、使用者がどのような保持方向でタブレット型コンピュータ１０を保持した場合でも重心バランスを調整することが可能になる。
【００４１】
例えば、本実施形態のタブレット型コンピュータ１０の保持方向を図４に示した保持方向から９０度回転させた場合の内部構造を図５に示す。
【００４２】
図５に示した図では、タブレット型コンピュータ１０が横長状態となるように保持されているが、保持方向が変更されたことによりシリコンオイル２１０が収容器２００内の重力方向の下方に移動している。そのため、保持方向が変更された場合でも、重心位置が下方に移動されるため使用者は安定した状態でタブレット型コンピュータ１０を保持することが可能となる。
【００４３】
このように本実施形態のタブレット型コンピュータ１０では、加速度センサ等による検出とは関係なく重心位置を下方に移動させることができるため、複雑な制御を必要とすることなく保持方向の変更に伴う重心バランスの調整を行うことが可能となる。
【００４４】
なお、本実施形態では収容器２００内に収容する流動体としてシリコンオイル２１０を用いた場合について説明しているが、当然ながら本発明はこのような構成に限定されるものではない。
【００４５】
本実施形態で使用しているシリコンオイル２１０は、粘性のある液体であるため、移動に多少時間を要するが、収容器２００を移動した場合でも音を発生させないという利点がある。しかし、例えば、シリコンオイル２１０以外の水等の液体を収容器２００内に収容する流動体として使用することも可能である。また、液体だけではなく、重力方向の変化に伴い流動的に移動可能な流動体であれば、例えば、小さな樹脂性や金属製等の球体や砂等の粒状体や、粉状体を流動体として使用することも可能である。
【００４６】
さらに、本発明の他の実施形態のタブレット型コンピュータ１０ａの内部構造を図６を参照して説明する。
【００４７】
図６に示した構成では、タブレット型コンピュータ１０ａが、２層構造となっており、制御部１００を含む電子回路基板が構成されている本体層３２０と、収容器２００ａが構
成されているバランス調整層３１０とから構成されている。
【００４８】
このように収容器２００ａが、本体層３２０とは異なるバランス調整層３１０に設けられていることにより、本体層３２０のスペースを狭めることなく重心バランスの調整を行うことが可能となる。
【００４９】
ただし、このような構成を採用すると、タブレット型コンピュータ１０ａが２層構造となることにより厚さが増加するとともに重量も増加してしまうことになる。
【００５０】
そのため、収容器２００ａが設けられているバランス調整層３１０を、制御部１００を含む電子回路基板が構成されている本体層３２０とは着脱可能な構成とするようにしても良い。
【００５１】
このようにバランス調整層３１０と本体層３２０とを脱着可能とすることにより、重心バランス調整を行う必要が無い場合には、バランス調整層３１０を本体層３２０から外して使用するようなことも可能となる。
【符号の説明】
【００５２】
１０、１０ａ    タブレット型コンピュータ（携帯情報端末装置）
２０    タッチパネル
３１〜３５    ソフトウェアキー
１００    制御部
１０１    ＣＰＵ
１０２    ＲＯＭ
１０３    ＲＡＭ
１１０    外部電源入力部
１２０    二次電池
１３０    無線通信部
１４０    カメラ
１５０    振動センサ
１６０    角度センサ
１７０    入力部
１７１    タッチセンサ
１７２    ハードキー
１８０    表示部
１９０    スピーカ
２００、２００ａ    収容器
２１０    シリコンオイル
３１０    バランス調整層
３２０    本体層
【図１】
2014045251.tif 000003
【図２】
2014045251.tif 000004
【図３】
2014045251.tif 000005
【図４】
2014045251.tif 000006
【図５】
2014045251.tif 000007
【図６】
2014045251.tif 000008